(57)【要約】【課題】可動接触子を案内支持する接触子ホルダの構造を改良し、接点溶着が生じた開極動作時に、可動接触子自身の撓み変形を防いで接点を強制的に開極できるようにして開極動作の信頼性向上を図る。【解決手段】一対の固定接触子２と該接触子の接点２ａ間を橋絡する可動接触子３からなる接点機構を操作用電磁石の吸引，復帰動作で開閉する電磁接触器で、可動接触子３はその両端に可動接点３ａを設けた条片になり、接圧ばね１０と組合せて操作用電磁石の可動鉄心に連結した接触子ホルダ４の角孔４ａに嵌挿して案内支持したものにおいて、接触子ホルダの角孔の底面側に形成した接触子担持壁４ｂの両側に、可動接触子３の先端に向けて延在する拡張部４ｂ−１を形成して接点の開極動作時に可動接触子のほぼ全長域を接触子担持壁で支え、接点の溶着による可動接触子の撓み変形を防いで接点間を強制的に開離させる。【選択図】      図１
2004247235.tif 000002
【特許請求の範囲】
【請求項１】
一対の固定接触子と該接触子の接点間を橋絡する可動接触子からなる接点機構を操作用電磁石の吸引，復帰動作で開閉する電磁接触器であり、前記可動接触子はその両端に可動接点を設けた条片になり、接圧ばねと組合せて操作用電磁石の可動鉄心に連結した接触子ホルダの角孔に嵌挿して案内支持したものにおいて、
前記接触子ホルダの角孔の底面側に形成した接触子担持壁の両端を、可動接触子の先端に向け拡張延在させたことを特徴とする電磁接触器。
【請求項２】
請求項１記載の電磁接触器において、可動接触子の両端を二股状に分割形成して各二股条片の先端に可動接点を設けるとともに、この可動接触子の外形に合わせて接触子ホルダの接触子担持壁の両端を二股状に延在形成したことを特徴とする電磁接触器。
【発明の詳細な説明】
【０００１】
【発明の属する技術分野】
本発明は電磁接触器に関し、詳しくは主回路接点機構の可動接触子を保持する接触子ホルダの構造に係わる。
【０００２】
【従来の技術】
まず、本発明の実施対象となる電磁接触器の従来における一般的な構造を図５，図６に示す。図において、１は下部ケース１ａと上部ケース１ｂの２分割構造になる本体ケース（樹脂ケース）、２は上部ケース１ｂに組付けた左右一対の固定接触子、２ａは固定接点、２ｂは外部接続用の端子ねじ、３は前記固定接触子２の固定接点２ａに対向する橋絡型の可動接触子、３ａは可動接触子３の両端に設けた可動接点、４は可動接触子３を案内支持する接触子ホルダ（樹脂成形品）、５は操作用電磁石であり、操作用電磁石５はＥ字脚型の固定鉄心６および可動鉄心７と、鉄心の中央脚に嵌挿した電磁コイル８と、可動鉄心７を固定鉄心６から引き離す方向に付勢する復帰スプリング９との組立体になり、可動鉄心７の上に前記の接触子ホルダ４が連結されている。
【０００３】
ここで、可動接触子３は銅合金などで作られた条片であり、その両端の下面に可動接点３ａが接合されている。また、接触子ホルダ４は樹脂成形品になり、図６（ａ），（ｂ）  で示すように、接触子ホルダ４の上部に開口する角孔４ａに可動接触子３を嵌挿して上下可動に案内支持し、接圧ばね（圧縮コイルスプリング）１０を介して接触子の中央部分を下向きに押圧付勢している。なお、４ｂは接触子ホルダ４の角穴４ｂの底面側に形成した接触子担持壁４であり、図６に示した接点ＯＦＦの状態では可動接触子３の中央部分が担持壁４ｂの上に重なってこの位置に担持されている。
【０００４】
上記構成になる電磁接触器の開閉動作は周知の通りであり、図５の接点ＯＦＦの状態から電磁コイル８に通電して励磁すると、その磁気吸引力により可動鉄心７が復帰スプリング９のばね力に抗して固定鉄心６に吸着されるとともに、この吸引動作に従動して接触子ホルダ４が下降し、可動接触子３の接点３ａが固定接触子２の接点２ａに接触して主回路接点を閉極するとともに、さらに接触子ホルダ４の下降に伴い圧縮された接圧ばね１０のばね力で固定／可動接点の間に接触圧を加える。なお、この状態になると接触子ホルダ４の接触子担持壁４ｂは可動接触子３から下方に離間する。
【０００５】
一方、上記の接点ＯＮの状態から電磁コイル８の通電を絶つと、可動鉄心７が復帰スプリング９のばね力を受けて固定鉄心６から上方に離脱し、この復帰動作に従動して接触子ホルダ４が上昇するとともに、この移動途上で接触子ホルダ４の接触子担持壁４ｂが可動接触子３の下面に当たって可動接触子３を上方に押し上げ（図５の状態）、主回路接点を開極する。
また、電磁接触器の可動接触子３として、固定／可動接点間で安定した接触状態を確保するために、図７で示すように可動接触子３の両端側にスリットを切欠き形成して二股状の条片３ｂに分割した上で、各二股条片３ｂの先端に可動接点３ａを設けて固定接触子２の接点２ａに対峙させた構成のものが知られている（例えば、特許文献１参照。）。
【０００６】
【特許文献１】
特公平４−６３４８８号公報
【０００７】
【発明が解決しようとする課題】
前記構成の電磁接触器では、主回路の電流遮断時に主回路接点間に発生するアークが原因で主回路接点が次第に損耗し、過負荷電流が流れた際に固定／可動接点の間に溶着が発生することがある。
この場合に軽度な接点溶着は、操作用電磁石５（図５参照）のばね復帰力で接点の溶着状態を強制的に剥離させ、固定接点２ａと可動接点３ａを開離させることが可能であるが、この場合に可動接触子３の曲げ剛性が低いと、開極動作時に固定／可動接点間が溶着したまま、可動接触子３が撓み変形して可動接点３ａが固定接点２ａから開離せず、このために電流遮断が不能になることがある。
【０００８】
しかも、上記トラブルは、特に図７で示したように可動接触子３の先端側を二股状に分割形成した場合に発生し易くなる。すなわち、可動接触子３の先端側を二股状に分割すると、個々の二股条片３ｂは条幅が狭まった分だけ曲げ剛性が小さくなる。このために、主回路接点の開極動作時に固定接点２ａと可動接点３ａの間に溶着が生じると、接点溶着の生じた可動接触子３の二股条片３ｂに対し、接触子ホルダ４の接触子担持壁４ｂを介して可動接触子３の中央部に加わる操作用電磁石５のばね復帰力により、二股条片３ｂの根元部に応力が集中するようになる。しかも応力の集中する二股条片３ｂの根元部と溶着の生じた先端の接点３ａとの間の中間部分は接触子ホルダ４に担持されてないために、図８で表すように接点溶着の生じた二股条片３ｂがその長手方向で反るように撓み変形し、最悪の場合には操作用電磁石の復帰動作により接触子ホルダ４が開極位置まで上昇移動しても、固定／可動接点が溶着したまま開離しないといった事態になることがある。
【０００９】
本発明は上記の点に鑑みなされたものであり、可動接触子を案内支持する接触子ホルダの構造を改良し、接点溶着の発生した状態での開極動作時に、可動接触子自身の撓み変形を防いで接点を強制的に開極できるようにして開極動作の信頼性向上が図れるようにした電磁接触器を提供することを目的とする。
【００１０】
【課題を解決するための手段】
上記目的を達成するために、本発明によれば、一対の固定接触子と該接触子の接点間を橋絡する可動接触子からなる接点機構を操作用電磁石の吸引，復帰動作で開閉する電磁接触器であり、前記可動接触子はその両端に可動接点を設けた条片になり、接圧ばねと組合せて操作用電磁石の可動鉄心に連結した接触子ホルダの角孔に嵌挿して案内支持したものにおいて、
前記接触子ホルダの角孔の底面側に形成した接触子担持壁の両端を、可動接触子の先端に向けて延在するように拡張した構成として、接点開極動作時には可動接触子のほぼ全長域に接触子ホルダの接触子担持壁を押し当てるようにし、接点間に溶着が生じた場合でも可動接触子の撓み変形を防ぎつつ、操作用電磁石のばね復帰力を有効に生かして溶着した接点を強制的に開離させるようにする（請求項１）。
【００１１】
また、前記構成において、可動接触子がその両端を二股状に分割形成して各二股条片の先端に可動接点を設けた形状である場合には、この可動接触子の外形に合わせて接触子ホルダの接触子担持壁の両端を二股状に延在形成し、開極動作時に固定／可動接点間に発生するアークによる接触子担持壁への熱的影響を低く抑えるようにする（請求項２）。
【００１２】
【発明の実施の形態】
以下、本発明の実施の形態を図１〜図４に示す実施例に基づいて説明する。なお、実施例の図中で図７に対応する部材には同一符号を付してその詳細な説明は省略する。
〔実施例１〕
図１および図２は、図７で述べた二股形状の可動接触子を採用した主回路接点機構に適用した実施例の構成図であり、図１，図２はそれぞれ接点ＯＮの状態，およびＯＦＦ動作過程の状態を表している。
【００１３】
この実施例において、固定接触子２および橋絡型可動接触子３からなる主回路接点機構，および可動接触子３を接圧ばね１０と組合せて角孔４ａに案内支持する接触子ホルダ４は基本的に従来構成と同様であるが、接触子ホルダ４の角孔４ａの底面側に形成した接触子端子壁４ｂには、接触子の両端側に二股条片３を分岐形成した可動接触子３の形状に合わせて、中央部から左右両側に延在してその先端が可動接触子３の先端に設けた可動接点３ａの近傍まで達する二股状の拡張部４ｂ−１が形成されている。
なお、図示実施例では、接触子担持壁４ｂの左右拡張に合わせて接触子ホルダ自身の横幅も図７の接触子ホルダに比べて広げているが、接触子ホルダ４の幅は従来（図７参照）と同幅にして接触子担持壁４ｂの拡張部４ｂ−１をホルダから左右に張り出すようにしてもよい。
【００１４】
上記構成において、電磁接触器の開極動作時に操作用電磁石５の復帰スプリング９（図５参照）によるばね復帰力により接触子ホルダ４が接点閉極位置から上昇すると、その移動途上で図２に示すように接触子ホルダ４の接触子担持壁４ｂおよびその二股状の拡張部４ｂ−１が可動接触子３ｂの下面に当たって開極方向に押し上げる。この場合に、接触子担持壁４ｂの拡張部４ｂ−１は可動接触子３の二股状片３ｂの下面に重なって可動接触子３のほぼ全長域を担持したまま接触子ホルダ４と一緒に上昇移動する。したがって、例え固定／可動接点間が溶着していても、可動接触子３の二股条片３ｂは接点が溶着したまま図７のように長手方向に撓み変形することがなく、操作用電磁石のばね復帰力を有効に生かして可動接点３ａを固定接点２ａから強制的に開離させることができる。
【００１５】
しかも、接触子担持壁４ｂの拡張部４ｂ−１を図示実施例のように二股状に分岐しておくことでその間に隙間（放熱空間）が形成されるので、開極動作時に拡張部４ｂ−１が接点間に生じるアークの熱に晒されても、その熱的影響を低く抑えて材質劣化を防ぐことができる。
〔実施例２〕
図３，図４は先記実施例１の応用実施例を示すものであり、この実施例においては、接触子ホルダ４に形成した接触子担持壁４ｂの拡張部４ｂ−１を担持壁の中央部と同幅で左右に延長させて可動接触子３のほぼ全長域を担持するようにしている。この構成においても実施例１と同様な効果が得られ、また図６に示すような長方形の可動接触子３でもそのまま対応できる。
【００１６】
【発明の効果】
以上述べたように、本発明によれば、一対の固定接触子と該接触子の接点間を橋絡する可動接触子からなる接点機構を操作用電磁石の吸引，復帰動作で開閉する電磁接触器であって、前記可動接触子はその両端に可動接点を設けた条片になり、接圧ばねと組合せて操作用電磁石の可動鉄心に連結した接触子ホルダの角孔に嵌挿して案内支持したものにおいて、前記接触子ホルダの角孔の底面側に形成した接触子担持壁を、可動接触子の先端に向け拡張延在させたことにより、
電磁接触器の接点開極動作時には、可動接触子のほぼ全長域に接触子ホルダの接触子担持壁を押し当てて開極位置に向け押し上げることができ、これにより固定／可動接点間に溶着が生じた場合でも可動接触子の撓み変形を防ぎつつ、操作用電磁石のばね復帰力を有効に生かして溶着した接点を強制的に開離させて電流遮断動作の信頼性向上化が図れる。
【図面の簡単な説明】
【図１】本発明の実施例１に対応する接点開閉機構部の構成斜視図で、接点ＯＮの状態を表す図
【図２】図１の構成による接点開離時の動作説明図
【図３】本発明の実施例２に対応する接点開閉機構部の構成斜視図で、接点ＯＮの状態を表す図
【図４】図３の構成による接点開離時の動作説明図
【図５】電磁接触器の従来製品の構成断面図
【図６】図５における接点機構部の構成図で、（ａ）  は外形斜視図、（ｂ）  は（ａ）  における要部の断面斜視図
【図７】図５と異なる従来例の接点機構部の構成斜視図で、接点ＯＮの状態を表す図
【図８】図７の構成による接点開離時の動作説明図
【符号の説明】
２    固定接触子
２ａ  固定接点
３    可動接触子
３ａ  可動接点
３ｂ  二股状片
４    接触子ホルダ
４ａ  角孔
４ｂ  接触子担持壁
４ｂ−１  拡張部
５    操作用電磁石
６    固定鉄心
７    可動鉄心
８    電磁コイル
９    復帰スプリング
１０    接圧ばね
【図１】
2004247235.tif 000003
【図２】
2004247235.tif 000004
【図３】
2004247235.tif 000005
【図４】
2004247235.tif 000006
【図５】
2004247235.tif 000007
【図６】
2004247235.tif 000008
【図７】
2004247235.tif 000009
【図８】
2004247235.tif 000010